(57)【特許請求の範囲】
【請求項１】
液体媒体中に懸濁した細胞のサンプルを試験し、サンプル中の細胞の細胞透過性の測定値を決定するための方法であって、
ａ）サンプル細胞懸濁液を、連続的に変化している重量オスモル濃度勾配を有する別の液体媒体にフィードし、細胞膜を横切る流体流を生じさせ、それにより、サンプル懸濁液中の細胞の形状を変化させようとすることで、変更されたサンプル細胞懸濁液を製造すること、
ｂ）前記変更された細胞懸濁液をセンサーに通過させること、
ｃ）前記変更されたサンプル細胞懸濁液の性質であって細胞の体積に関係する性質を測定すること、
ｄ）細胞についてのセンサー測定値を記録すること、
ｅ）記録されたセンサー測定値を分析に付し、前記変更されたサンプル細胞懸濁液中の細胞が球形になる、記録された測定値を特定すること、
ｆ）工程ｅ）の記録された測定値の分析に基づいて、前記変更されたサンプル細胞懸濁液中の細胞の体積を決定し、体積決定値から細胞の表面積を計算すること、及び、
ｇ）連続的に変化している重量オスモル濃度に応答して、細胞の形状が変化するときに、細胞膜を横切る流体の体積の測定値として細胞透過性を計算すること、
を含む方法。
【請求項２】
工程（ｅ）〜（ｇ）を同時に行なう、請求項１記載の方法。
【請求項３】
球形形状に対応する重量オスモル濃度を記録する、請求項１記載の方法。
【請求項４】
細胞膜を横切る流体の、細胞の単位面積あたりの体積として、細胞透過性の測定値を計算する、請求項１記載の方法。
【請求項５】
センサーの測定値は、一連の電圧パルスとしての細胞の通過の記録であり、各パルスの大きさは細胞サイズに比例するものである、請求項１記載の方法。
【請求項６】
センサー測定値は細胞ごとに記録される、請求項１記載の方法。
【請求項７】
記録されたセンサー測定値を、ある数の異なる環境条件の各々で細胞体積を計算する分析に付し、前記計算は前記変更された細胞懸濁液中の細胞の形状を考慮に入れる、請求項１記載の方法。
【請求項８】
流体は崩壊剤によって細胞膜を横切るようにされ、それにより、細胞体積の変化を生じる、請求項１記載の方法。
【請求項９】
サンプル細胞懸濁液が非弾性膜を有する細胞を含むときに、環境パラメータは前記変更されたサンプル細胞懸濁液中の細胞が全ての可能な細胞形状及び細胞体積となりうるように変更される、請求項１記載の方法。
【請求項１０】
重量オスモル濃度に加えて、１つの環境パラメータを変化させる、請求項１記載の方法。
【請求項１１】
細胞の体積に影響を及ぼす他の全てのパラメータは一定に維持される、請求項１記載の方法。
【請求項１２】
サンプル細胞懸濁液又は変更されたサンプル細胞懸濁液中の細胞は、１つ以上の環境パラメータの変化前に第一の細胞形状及び細胞体積を有し、１つ以上の環境パラメータの変化時に第二の細胞形状及び細胞体積を有し、そして、前記第一の細胞形状及び細胞体積から前記第二の細胞形状及び細胞体積へと細胞が変化するときに細胞の透過性の計算値が決定される、請求項１記載の方法。
【請求項１３】
Cp速度は細胞透過性の測定値として決定され、前記Cp速度は特定の圧力に応答して、膜１平方メートルを横切って流れる流体の速度を測定する透過性係数である、請求項１記載の方法。
【請求項１４】
pKnは細胞透過性の測定値として決定され、ｎは正の整数であり、pKnは正味の透過性速度が０である各々の圧力を記載する透過性測定値群を示す、請求項１記載の方法。
【請求項１５】
CpΔは細胞透過性の測定値として決定され、CpΔは２つのCp速度の比較であり、２つの圧力の間で細胞膜を横切る正味の流体量として表現される、請求項13記載の方法。
【発明の詳細な説明】
技術分野
本発明は細胞膜の透過性を測定するための方法に関し、そして、赤血球、白血球、血小板、繊維芽細胞、組織細胞、アメーバ、菌類、バクテリア、全ての真核細胞および原核細胞、並びに合成細胞またはパーティクルを含む、全てのタイプの細胞に応用できる。
背景技術
透過性は、流体または気体状態の物質が通常には固体状態の別の材料を通る通過性であり、それは、標準温度および圧力で単位表面積当たりに単位時間当たりに膜を横切って移動する速度または全体積として測定される。生物学的に、多くの膜、特に細胞膜は選択的に透過性であり、その為、細胞は栄養素、ホルモン、気体、糖類、タンパク質または水をその膜を通して輸送することができる。この輸送は膜のいずれかの側における物質の分圧または濃度のみに依存する受動性であるか、または、既存の濃度に対抗するためにエネルギーを必要とする能動性であることができる。異なる細胞は細胞の機能に密接に関係した、異なる分子に特有の透過速度を有する。
赤血球の透過性の現在の試験は透過性についての単一の値を与え、その値は、通常、細胞（または細胞群）の中またはその周囲の中にある放射線標識分子（しばしば、水）の濃度の変化を測定することにより得られる。
発明の開示
本発明によると、液体媒質中に懸濁した細胞サンプルであって、液体媒質の性質と明確に異なる少なくとも１種以上の測定可能な性質を有する細胞サンプルが、細胞サンプルの細胞透過性の測定値を決定するための分析に付される、新規の方法であって、この方法は、
（ａ）サンプル細胞の懸濁液の第一アリコートをセンサーに通過させること、
（ｂ）細胞の懸濁液の前記少なくとも１種の性質を測定すること、
（ｃ）細胞の第一アリコートの前記性質の測定値を記録すること、
（ｄ）細胞膜を横切って流体の流れを生じさせることができる、細胞環境の少なくとも１種のパラメータを、サンプル細胞の懸濁液の第二アリコートにおいて変更し、それにより、細胞の前記少なくとも１種の性質を変えること、
（ｅ）前記第二アリコートをセンサーに通過させること、
（ｆ）この変更した環境下において、細胞懸濁液の前記少なくとも１種の性質を測定すること、
（ｇ）細胞の第二アリコートについての前記少なくとも１種の性質の測定値を記録すること、
（ｈ）工程（ｃ）および（ｇ）から得られたデータを、細胞環境の前記パラメータの前記変更の程度および前記少なくとも１種の性質について記録した測定値の変化の関数として比較し、サンプルの細胞透過性の測定値を決定すること、
の工程を含む。
血液細胞は１分間に体全体にわたって移動し、気体および代謝物を絶えず輸送する。血液細胞は、また、メッセンジャーとして作用し、またはホルモンの代わりをして、体中に情報を伝達する。この巡回的な存在により、血液細胞は離れた異常個所に信号を送ることができることが判っている。例えば、脳が死んだときに、肢体に血液供給が閉ざされたときに、または、腎臓が重大な毒素を除去できなくなったときに、血液細胞膜の透過性は変わる。細胞膜の透過性はルーチンで測定されたことがなく、そして実験的に稀に測定されるのみである。現在までのところ、このような測定を行う、速くまたは信頼できる方法はない。赤血球の透過性は複雑であり、分子が細胞膜を横切るときに、例えば、細胞の形状および構造並びに膜ポンプ活性によって動的に変化することも判っている。本発明の方法は、既存の透過性測定を行うが、より有用なことには、サンプル調製を行わずに、60秒以内に、細胞透過性の、より敏感で、正確で且つ詳細な測定を行う。
好ましくは、液体媒体と異なる細胞の性質は細胞の体積に直接的に関係がある性質である。このような性質は電気抵抗またはインピーダンスであり、Coulter Instruments Inc.によりCoulter Counterの商品名で市販されている装置のような従来のパーティクルカウンターを用いて測定されうる。好ましくは、細胞を検知し、そして細胞の性質の変化を測定するために用いられるセンサーは我々の同時係属の国際出願（代理人参照番号62/2681/03）に記載されるものである。この装置において、細胞懸濁液は開口部を通して流され、それが電界を変える。細胞の透過に対する電界の応答は一連の電圧パルスとして記録され、各パルスの大きさは細胞のサイズに比例する。
本発明の好ましい方法において、細胞透過性の測定値は、変更した環境に応答してサンプル細胞膜を横切る流体の体積の測定値を得ることにより決定される。本方法において変更する環境パラメータは細胞の測定可能な性質が変えられることになる変更のいずれかである。好ましくは、細胞膜を横切って流体を輸送し、それにより、細胞体積の変化を起こすために崩壊剤（lytic agent）は用いられる。それ故、好ましくは、環境パラメータの変化は重量オスモル濃度（osmolality）の変更、最も好ましくは重量オスモル濃度の減少である。通常、第一のアリコートの環境は等張であり、そしてこの為、第二のアリコートは低張になる。他の適切な崩壊剤は、石鹸、アルコール、毒素、塩および印加される剪断応力を含む。
この効果を達成するために、サンプル懸濁液の１つのみのアリコートに重量オスモル濃度の１回以上の変更を与えることが可能であるが、同一のサンプル懸濁液の２種以上の異なるアリコートを用いることが好ましい。最も好ましくは、サンプル懸濁液は連続の浸透圧勾配に付され、そして特に、我々の同時係属の国際出願（代理人参照番号80/4936/03）の方法により生じる浸透圧勾配に付される。
我々の同時係属の国際出願（代理人参照番号62/2734/03）の好ましい方法において、特定の細胞パラメータの幾つかの測定は一連の連続した重量オスモル濃度にわたって行われ、その測定値は細胞体積および細胞表面積を含み、それは装置を検量するために一般に用いられる球形パーティクルからの細胞の偏差を考慮する。インビボの細胞の形状の評価は、全ての形状の細胞体積および細胞表面積の正確な測定値を得るために行われる。サンプル懸濁液は溶液中に連続的にフィードされ、その重量オスモル濃度は連続の濃度勾配が生じるように連続的に変化される。赤血球細胞の周囲の溶液の重量オスモル濃度を臨界レベル未満に減少させると、最初に細胞は膨潤し、その後、破壊して、殆ど全部がヘモグロビンであるその内容分を周囲の媒質中にゆっくりと開放するゴースト細胞を生成する。細胞環境の重量オスモル濃度の減少による細胞体積の増加時に、各細胞の表面積は実質的に変化しない。というのは、細胞膜は実質的に非弾性であるからである。各アリコートの環境の変化の開始から検知ゾーンを通る細胞の通過までの時間は一定に保たれ、それにより、時間は細胞の透過性の計算にファクターにならない。連続的に変化している重量オスモル濃度勾配に試験下でサンプルをフィードすることの効果は、その連続的に変化している勾配をもって、ある特定の細胞サンプルを処理することと同一の測定値が得られることである。
好ましくは、測定値は我々の同時係属の国際出願（代理人参照番号62/2734/03）の方法により、細胞毎に記録される。各アリコート中の計数される血液細胞の数は、通常、少なくとも1000個であり、そして細胞毎のデータは、その後、細胞透過性の正確な頻度分布を得るために用いられる。適切には、この濃度は、天気予報において用いられるレーダー降雨ピクチャーに見られるのと同様の３次元効果を与える異なる色を用いることによってより視覚的に示されることができる。または、いずれかの張力の単一の溶液について、測定されるパラメータの変化は、同一の変化を示す幾つかの個々の細胞に対して示されることができる。このようにして、与えられた重量オスモル濃度における細胞の透過性の分布を得ることができる。
上記の通り、我々の同時係属の出願は、サンプル中の個々の細胞について、連続の浸透圧勾配にわたって、細胞体積または細胞体積に関係した他の細胞パラメータおよび細胞表面積の正確な評価を提供することができる。重量オスモル濃度に対する細胞体積の変化のプロットは、特徴的な曲線を示し、それは重量オスモル濃度の減少に伴い、細胞体積がどのように変化するかを示し、そして膜を横切る流れの最大速度および最小速度を示し、そして流速は特定の浸透圧または一連の浸透圧に起因する。
浸透圧（Posm）、細胞体積、表面積（SA）および他の関連環境ファクターの測定値を得て、細胞の透過性の幾つかの測定値を得ることができる。
１）Cp速度
透過性のこの係数は、特定の圧力に応答して、１平方メートル当たりに横切る流体の流れの速度を測定する。全ての正の速度は細胞中に入る正味の流れを示し、全ての負の速度は細胞から出てくる正味の流れである。速度は、
Cp速度＝Δ細胞体積／ΔPosm/SA（S.T.P）
により決定される。
２）透過係数pkn
このセットの透過性測定値は正味の透過速度が０である各圧力を記載するものであり、そしてpk0、pk1…pknと番号付けされる。
（ｉ）pk0は細胞が一体性を失うことなく受けることができる最小絶対圧（低張）と一致する。pk0で1/10ミリオスモル/kgの圧力変化（0.0001気圧）は１桁〜２桁の透過性の変化を生じ、この為、pk0は明らかであり、非常に再現性が高い測定値である。
（ii）pk1は若干の低張圧で体積的に調節することができる細胞の能力の測定値である。特定の圧力の後に、細胞は浸透力を打ち消すことができなくなり、細胞の体積が変化する。pk1はこの調節を行うことができる細胞の能力の測定値であり、それにより、細胞の最大ポンプ輸送能力を測定することができる。
（iii）pk2は、pk1から必然的に得られるものであり、高張圧において体積的に調節することができる細胞の能力の測定値であり、インビボ静圧における通常の細胞と比較したときに、低い差圧で起こる。
透過性係数pknは次の等式により記載される。
pkn＝ΔPosm/SA（S.T.P）
pk0を計算するときに、ΔPosm＝（等張圧）−（正味流量が０である圧力）である。
pk1を計算するときに、ΔPosm＝（等張圧）−（正味の正の流量が始まるときの第一の低張圧）である。pk2の計算はpk1と同一であるが、ΔPosmは正味の正の流量が０でない第一の高張圧を測定する。
３）CpΔ
この無次元の値は２つのCp速度の比較であり、そして２つの崩壊剤濃度の間の細胞膜を横切る流体の正味の量として表現される。それは、体積に無関係であり、そして圧力に関係する透過速度の比較を提供する。この測定は数分から数カ月の間にわたる、同一の個体の透過速度の変化を比較するために用いうる。
４）CPmax
これは細胞膜を横切る流れの最大速度である。殆ど全ての細胞に関して、２つの最大値があり、１つは正（細胞中への正味の流れ）であり、１つは負（細胞からの正味の流れ）であり、pk0のいずれかの側にある。Cpmaxは重量オスモル濃度に対する細胞体積の変化の連続曲線の最大の正の勾配および負の勾配を検知することにより決定される。
５）膜構造抵抗（MSR）
これは水の内側への流れまたは外側への流れに抵抗する細胞の内部の構造的な力の測定値である。それは、細胞中へ全ての他のゼロでない流速に対するCPmaxの比により決定される。膜は、全ての圧力において理論的に等しく透過性であるので、pk1からpk2の範囲外の最大流速からの変化は機械力によるものである。Cprateが０に近づくときに、MSRは∞に近づき、それにより、膜が耐えられるよりも大きな歪みを生じるので、pk0は細胞に対する全体としての機械的限界であることが明らかである。
MSR＝CPmax/Cprate  ｘ  100％
６）Cpml
これは組織または血液の単位体積当たりの個体に、または、全体の組織または全体の体に与えられる生理的透過性の測定であり、以下の通りに計算される。
CPml＝Δ細胞体積／ΔPosm/m3/全血液ml
本発明の方法は広い範囲の用途を有し、特に、
1.すべてのタイプの細胞の透過性および透過速度を測定するための手段
2.正常膜および異常膜の透過性を検知、差別化し、そしてその原因を検知するための手段
3.新薬についてのインビボの動物試験または人体実験に代わるインビトロ試験、または毒物実験、特に神経剤、麻酔薬、医薬、放射線および化学兵器薬剤のような未知の物質が膜透過性に与える効果の実験
4.膜の研究
5.分類技術。種々の種は、知られているが、分類技術の基礎として用いられていない、種々の膜透過性を有する。
6.他の細胞のためのモデル、特に、神経細胞インパルス増殖のための膜ポンプによる神経細胞のためのモデル。
7.血液バンクのための医術。現在の献血ユニットは、貯蔵寿命が３週間に限定されている。これは、幾つかの献血ユニットは貯蔵時にこれより長く生き残らないからである。しかし、多くのユニットは何週間も生存することができるが、病院は輸血のために生存していないユニットを用いる危険をおかさない。本発明の透過性測定は、血液の生存可能性を決定する手段を提供し、ユニットが死んでいるかどうかを決定するための素早く且つ安価な方法が可能である。３週間の期限の前に、ユニットをいつ廃棄すべきであるかを決めるためのベースとして用いることもでき、それにより、悪い輸血の危険を低減し、そして毎年、何百万のユニットを節約することが可能になる。
8.病気の検知、病気の診断、診断の確認、病気の予後のモニタリング、処置効果のモニタリングおよび人間および他の種の症状緩和のモニタリングの手段。
9.全ての種の病理を調査するための手段。以前に知られていなかった、細胞膜透過性を変更することが判った病気が多く存在する。例えば、神経性食欲不振のときのように赤血球に結合したインシュリンが増加したとき、呼吸不全もしくは先天性横隔膜ヘルニアにより誘発されるか、または、不明の機構による中間型サラセミアにおける酸素欠乏のときに、透過性は変更される。これまで、細胞膜は肢体への血流をモニターするために用いられたことはなかった。１つの新しく、予期できない発見は、大腿動脈バイパスを必要とするために下肢に十分に血流を閉塞させると、血液細胞膜の透過性が常にそして大きく変化することである。
10.死の検知および確認のための手段。死んだときに、細胞膜の透過性の変更があり、それはEECよりも素早く且つ安価に測定する。
11.病気の指標としての異常性のためのルーチンサンプルのスクリーニング。
【図面の簡単な説明】
本発明は、ここで、添付の図面を参照して詳細に説明される。
図１は血液細胞を採取し、そして試験するために用いられる装置の略図を示す。
図２は図１の装置の勾配発生機セクションの流体輸送シリンジからの流体の吐出についての速度プロファイルを示す。
図３は図１の装置において用いられるデータ処理工程を示すブロックダイアグラムを示す。
図４は本発明により分析される血液サンプルの細胞について測定される電圧に対する重量オスモル濃度の三次元プロットの例を示す。
図５はある間隔での血液細胞の頻度分布を例示する、測定される電圧に対する重量オスモル濃度の三次元プロットの別の例を示す。
図６は１時間間隔で試験したサンプルの一連の三次元プロットを示す。
図７および８は装置の検量ルーチンの一部としての球状ラテックス粒子の結果を示す。
図９は測定される電圧および真の体積、それぞれに対する重量オスモル濃度（ｘ−軸）の重ね書きプロットを示す。
図10a〜10dは健康な個体の試験から得られた結果を示す。
図11は図10a〜10dに示した結果のプライス−ジョーンズ（Price−Jones）曲線を示す。
図12は細胞体積に対する重量オスモル濃度のグラフを示し、そして細胞の透過性の幾つかの異なる測定値を示す。
図13は正味の流体流量に対する重量オスモル濃度のグラフである。そして、
図14は異常な個体についての三次元頻度分布プロットおよび細胞パラメータを示す。
詳細な説明
図１は本発明の方法において使用するための血液サンプラーの略図を示す。血液サンプラーはサンプル調製セクション１および勾配発生機セクション２およびセンサーセクション３を含む。
サンプル容器５の中に含まれた全血液サンプル４はサンプルプローブ６のためのサンプルリザーバーとして作用する。サンプルプローブ６はPTFE流体ライン26に沿って、マルチポジション分配バルブ８およびマルチポジション分配バルブ９を介して、希釈ポンプ７に連結されている。希釈ポンプ７はマルチポジション分配バルブ９のポート♯１を介してリザーバー（示していない）から塩水溶液を引き込む。下記において詳細に説明されるように、希釈ポンプ７はサンプリングプロセスにおける第一希釈工程の一部として、一定体積の塩水とともに血液のサンプルを第一ウェル10へ吐出するように制御される。
第二の希釈工程において、希釈ポンプ７は第一ウェル10からの血液の希釈サンプルを、マルチポジション分配バルブ11を介してPTFE流体ライン12に送り、そしてこのサンプルを、更なる体積の塩水とともに第二ウェル13へと吐出する。第二ウェル13は下記に示すような勾配発生機セクション２のための希釈サンプル源を提供する。
全血液を用いる代わりに、サンプル容器15中の血液の予備希釈サンプル14を用いてもよい。この場合には、サンプルプローブ16はPTFE流体ライン30、マルチポジション分配バルブ11、PTFE流体ライン12およびマルチポジション分配バルブ９に沿って、希釈ポンプ７に連結されている。第二の希釈工程において、希釈ポンプ７はサンプル容器15から、流体ライン30およびマルチポジション分配バルブ11を介して、一定体積の予備希釈されたサンプル14を流体ライン12中に引き込み、そして更なる体積の塩水とともにサンプルを第二ウェル13中に吐出し、勾配発生機セクション２のための希釈サンプル源を提供する。
勾配発生機セクション２は第一流体輸送シリンジ17を含み、それはマルチポジション分配バルブ18を介してサプライから水を引き込み、PTFE流体ライン20に沿って、ミキシングチャンバー19へ水を吐出する。勾配発生機セクション２は、また、第二流体輸送シリンジ21をも含み、それはマルチポジション分配バルブ22を介してサンプル調製セクション１における第二ウェル13から、希釈された血液のサンプルを引き込み、そしてこれをPTFE流体ライン23に沿ってミキシングチャンバー19に吐出し、ここで、それは第一流体輸送シリンジ17からの水と混合される。下記に詳細に説明するように、ミキシングチャンバーへの第一流体輸送シリンジ17からの水の吐出速度および第二流体輸送シリンジ21からの希釈血液サンプルの吐出速度は、PTFE流体ライン24に沿ってミキシングチャンバー19を出てくるサンプル懸濁液の予め決められた濃度プロファイルを生じるように制御される。流体ライン24は、通常、３メートル長さまでのものである。適切な勾配発生機は本願の出願人の同日出願の同時係属国際出願（代理人参照番号62/2684/03）に詳細に記載されている。
下記にも詳細に説明するように、サンプル懸濁液は流体ライン24に沿ってミキシングチャンバー19を出て、そしてセンサーセクション３に入り、ここで、それは検知ゾーン25を通過し、検知ゾーンはサンプル懸濁液中の個々の細胞を検知し、その後、サンプルは幾つかの廃棄アウトレットを介して廃棄される。
ルーチン試験において、全装置は最初にフラッシュされ、そして適切に塩水を装填して装置を洗浄し、エアおよび破片のポケットをなくし、そして残存物を減らす。
希釈ポンプ７はステッパーモータ（示していない）により駆動される流体輸送シリンジを含み、そして、通常、最初に、塩水リザーバー（示していない）からマルチポジション分配バルブ９のポート♯１を介して５〜10mlの塩水をシリンジボディーに送るような配置になっている。適切な流体輸送シリンジおよびステッパーモータの配置は本願の出願人の同日出願の同時係属国際出願（代理人参照番号80/4936/03）に詳細に記載されている。マルチポジション分配バルブ９のポート♯１をその後に閉止し、そしてマルチポジション分配バルブ９およびマルチポジション分配バルブ８の両方のポート♯０を開放する。通常、100μ１の全血液はサンプル容器５から引き込まれ、そして流体ライン26中のデッドスペースを満たす。マルチポジション分配バルブ８のポート♯０を、その後に閉止し、そして流体ライン27へ引き込まれた全血液サンプル４の血液を希釈ポンプ７により吐出して、マルチポジション分配バルブ８のポート♯１を介して廃棄する。
第一の希釈工程において、マルチポジション分配バルブ８のポート♯０を開放し、希釈ポンプ７は既知の体積、通常には１〜20μｌの全血液をPTFE流体ライン27中に引き込む。その後、ポート♯０を閉止し、ポート♯２を開放し、そして希釈ポンプ７は流体ライン27中の血液サンプルを、流体ライン27中の既知の体積、通常には0.1〜2mlの塩水とともに第一ウェル10へ吐出する。マルチポジション分配バルブ８のポート♯２およびマルチポジション分配バルブ９のポート♯０を、その後に閉止する。
これに続き、マルチポジション分配バルブ11のポート♯０およびマルチポジション分配バルブ９のポート♯３を開放して、希釈ポンプ７に第一ウェル10中にある第一サンプル希釈液を引き込ませ、PTFE流体ライン28中のデッドスペースを満たす。マルチポジション分配バルブ11のポート♯０を、その後に閉止し、ポート♯１を開放して、希釈ポンプ７が、流体ライン12に引き込まれた第一のサンプル希釈液をポート♯１を介して廃棄できるようにする。
第二の希釈工程において、マルチポジション分配バルブ11のポート♯０を再開放し、そして希釈ポンプ７は既知の体積、通常には１〜20μｌの第一希釈液を流体ライン12中に引き込む。流体ライン12はサンプルが希釈ポンプ７を汚染しないためのリザーバーを提供するための遅れコイル29を含む。マルチポジション分配バルブ11のポート♯０を、その後に閉止し、ポート♯３を開放し、そしてその後、希釈ポンプ７は流体ライン12中の第一サンプル希釈液を、既知の体積、通常には0.1〜20mlの塩水とともに第二ウェル13へ吐出する。マルチポジション分配バルブ11のポート♯３を、その後に閉止する。この段階で、全血液サンプルを、通常には10000:1の比率で希釈する。下記により詳細に説明するように、装置は、試験ルーチンの最初に予め決められた許容値の範囲内の予め決められた細胞計数を得るためにサンプル懸濁液の希釈度を変えるように第二希釈工程を自動的に制御するようになっている。
勾配発生機セクション２において、第一流体輸送シリンジ17を水リザーバーからの水により満たす。マルチポジション分配バルブ22のポート♯３を開放し、そして第二流体輸送シリンジは一定体積の希釈血液サンプルを第二ウェル13からシリンジボディーに送る。マルチポジション分配バルブ22のポート♯３を閉止し、マルチポジション分配バルブ18およびマルチポジション分配バルブ22のポート♯２を開放し、そして、水および希釈血液サンプルを同時にミキシングチャンバー19へ制御しながら吐出する。
図２は、流体ライン24に沿ってミキシングチャンバー19を出るサンプル懸濁液の重量オスモル濃度の予め決められた連続勾配を得るために、第一流体輸送シリンジおよび第二流体輸送シリンジの各々から吐出される流体の速度が時間とともにどのように変化するかを示す。サンプル懸濁液の流速は、通常、200μls-1の範囲であり、それは測定が行われている間は一定に保たれる。この特徴については、本願出願人の同時係属出願（代理人参照番号62/2684/01）に詳細に記載されている。図２に示すように、流体輸送シリンジ21を動かすカムに連結されたカムプロファイルはシリンジプランジャーを加速し、サンプルを速度V1で吐出し、その間、流体輸送シリンジ17を動かすカムに連結されたカムプロファイルは連結されたシリンジプランジャーを加速し、より低い速度V2で流体を吐出する。各輸送シリンジからの一定の流速が時刻T0で達成されたら、時刻T1では、流体輸送シリンジ21と連結されたカムプロファイルは時間T2−T1の間にわたって速度V2にまで直線的に減速するようなサンプル吐出速度を生じ、その間、同時に、流体輸送シリンジ17に連結されたカムプロファイルは速度V1にまで直線的に加速するような流体吐出速度を生じる。この間、２つのシリンジの合計流速は約200μls-1で実質的に一定に保たれる。最後に、２つのシリンジは時間T3−T2にわたってフラッシュされる。
一度、第一流体輸送シリンジ17および第二流体輸送シリンジ21の両方がその内容物を吐出したときに、第一輸送シリンジは次の試験のための準備において水が再充填される。もし、異なる対象からの血液サンプルを用いようとするならば、第二の流体輸送シリンジ21はマルチポジション分配バルブ22のポート♯１を介して送られる塩水サプライからの塩水によりフラッシュされ、汚染されたシリンジのボディーは洗浄される。
ミキシングチャンバー19から出てくるサンプル懸濁液は流体ライン24に沿ってセンサーセクション３に通過する。適切なセンサーセクションは本願出願人の同日出願の同時係属出願（代理人参照番号62/2681/03）に詳細に記載されている。サンプル懸濁液はサンプル懸濁液の個々の細胞が通過しなければならない開口部付近に生じる電界を備える検知ゾーン25を通過する。サンプル懸濁液の個々の血液細胞が開口部を通過するときに、各々の個々の細胞の電気抵抗に対する電界の応答は電圧パルスとして記録される。特定の遮断時間、通常には0.2秒間の電圧パルスの合計数とともに各電圧パルスの大きさも記録し、同時に測定されるその瞬間のサンプル懸濁液の重量オスモル濃度との比較を含む、次の分析のために保存する。サンプル懸濁液の重量オスモル濃度は、また、勾配発生機セクション２により生じる、予め決められた連続浸透圧勾配の知識から、測定することなく決定されてもよい。下記に記載されるように、重量オスモル濃度（圧力）は細胞パラメータを決定するためには必要ない。
図３はデータがどのようにして収集され、そして処理されるかを示す。メインマイクロプロセッサーが各装置の内部にあり、それは装置に指示を与え、そして制御する役割を担っており、内部ハードウェアまたは低コストの埋め込みコントローラは装置内の特定のジョブ、例えば、希釈機、バルブおよびステッパーモータを操作したり、または、パルスをデジタル化し、そしてバッファーメモリーに転送するジョブをこなす役割を担っている。装置を運転するソフトウェアはＣおよびアセンブリコードで記載されており、そして32Kより若干小さい。
サンプルを試験するときに、センサーにより生じる各電圧パルスの大きさおよび長さは12ビット精度にデジタル化され、そして試験されたパルスの大きさの合計、長さの合計および数とともに２つの16Kバッファーのうちの１つに保存される。装置はセンサーのデータを収集している間に、１つのバッファーはデジタル化された値を入れ、一方、メインマイクロプロセッサーはいっぱいのバッファーをからにして、処理する。この処理は要らないパルスをフィルターアウトし、装置の制御変更のためのデータを分析し、そして最後に、データを圧縮し、その後に、複合分析のためにパーソナルコンピュータに送ることからなる。
装置により行われる任意の処理はフィルタリングを改良し、ピーク検知の精度を上げ、そしてパルスの形状およびサイズに関するより多くの情報を提供するための、各センサーパルスのデジタル信号処理を含む。このようなデジタル信号処理は細胞１つあたりに約25個の16ビット値を生じ、１試験当たりに約25メガバイトのデータを生じる。
パーソナルコンピュータにおけるデータ処理はＣおよびパスカルで記載されたカスタム400Kプログラムからなる。PCはリアルタイムでデータを表示し、そして分析し、ユーザーインターフェース（ウィンドウズ、メニュー等）を制御し、そして各サンプルを保存し、そしてプリントする。
ソフトウェアは、また、試験される各サンプルのデータベースを保持し、以前に試験したサンプルの速い比較を可能にする。更に、ソフトウェアは装置の運転をモニターし、低い流体レベル、システムクラッシュまたは使用者の装置のつけ忘れのような誤作動および誤りを検知する。
サンプル懸濁液の各細胞が検知ゾーン25の開口部を通過するときに、各細胞により生じる電圧パルスは、測定された電圧に対する重量オスモル濃度のプロットとしてPCのVDU上にグラフとして表示される。サンプル懸濁液はセンサーセクションを200μls-1の速度で通過する。第二希釈工程は、試験の最初に測定して約500細胞／秒の初期細胞計数を達成するように制御され、それにより、0.20秒間の遮断時間に、約1000個細胞が検知され、そして測定される。これは、第二希釈工程において、流体ライン12から希釈ポンプ７により吐出される塩水の体積を自動的に変えることにより行われる。40秒間の試験時間にわたって、合計で200回の遮断時間ができ、そしてこれは特定の重量オスモル濃度で測定される電圧の頻度分布を例示する三次元形態の連続曲線として表示され、その例を図４および５に示す。
個々の細胞をベースとして保存されそして回復された、測定された細胞の電圧を、その電圧変化を生じさせる溶液の重量オスモル濃度に対する電圧のプロットで示す。各々の個々の細胞について測定されたパラメータ変化を示すための個々のドットを用いると、重量オスモル濃度勾配によりカバーされる溶液の全範囲について、集合体の電圧およびその為、体積により細胞の分布が示される表示となる。全体の結果は、変えられたパラメータ、この場合には溶液の重量オスモル濃度に対する測定された電圧パルスの大きさについての測定された性質変化として示される三次元表示であり、細胞が特定の重量オスモル濃度にさらされ、そして集合体中の特定のサイズの分布または濃度の細胞が特定の重量オスモル濃度にさらされる。結果は等高線地図に類似した表示を生じ、それは最大強度のエリアを示すために色を用いることにより強調することができる。
分解を起こす臨界重量オスモル濃度よりもわずかに低い重量オスモル濃度において、広い範囲の低張液中で溶血衝撃に付した特定の細胞の集合体の細胞サイズの分布に対して完全なデータが入手されたときに、集合体中のギャップが見られる。図４に示すように、ゴースト細胞は三次元プロット中に完全に見ることができまたは確認することができ、そして破壊していない細胞は明らかに確認できるが、比較的に少数の個体が見られる重量オスモル濃度および細胞体積により画定される領域はその間にある。我々が「ゴーストギャップ」と呼ぶ、この減少の存在は以前には認識されていないものである。
全体の一連の工程を初期サンプルの更なるアリコートで時間測定された間隔で繰り返し、そして得られる測定電圧を重量オスモル濃度、時間および頻度分布に対してプロットするならば、四次元表示は天気図における変化のようなものとして得られる。時間の動きが第四の次元である、この動いている三次元表示は特定の血液サンプルに更なるパターン特性を与える。これを図６中の一連の画像において示す。図６に示す画像は37℃の温度で１時間間隔で行った試験の結果である。測定はあまり正確でないので、繰り返しの値をコンピュータのシーケンス技術を用いて重ねる。
示すように、細胞は時間の経過とともにゆっくりと機能する能力を失っているが、それは予期しないように変化する。血液サンプル中の細胞のサイズおよび形状は、複雑で直線的でないが、再現性をもって変化し、何日にもわたってそして連続して行う試験においてある特徴的なパターンを繰り返す。経時とともに現れるパターンは同様のサンプルでは類似性があり、そしてしばしば、特徴的な波状の動きを示す。変化のパターンは、健康状態を反映して個体間で異なり、または、パターンはサンプルの中で異なることがある。このため、最初に試験したときに均質であるサンプルは時間とともに２つまたは幾つかの小集合体に分けられ、そしてその存在は広い範囲の異なる張度をサンプルに付し、そして記載されたように電圧パルスを記録することにより検知できる。図６に示すように、細胞は初期サンプル中でだんだんと球形になる最初の何時間かの後に、それは数時間の間に、より平坦になり、その後、また、より球形になって、限界に達し、そして、その後、より薄くなり、最後に再び膨潤することができる。観測される変化が起こる速度はpH、温度、得られるエネルギーおよび他のファクターにより影響を受けることが判った。
三次元パターンは、特定の細胞が球形になるときである最大体積に達するときの正確な重量オスモル濃度を同定することができるデータを提供する。下記に詳細に記載される適切な検量を行い、そして電圧パルスの大きさを用いると、このような細胞の実体積を精密且つ正確に特定し、そして、臨床上注目される多くの他の細胞パラメータを引き出すことが可能である。
個々の細胞が電界を通過するときにセンサー25により生じる電圧パルスの大きさは各細胞の体積に比例する。しかし、細胞体積の測定値の変換を行うことができる前に、装置は検量を必要とする。これは、既知の体積の球形ラテックス粒子を用い、そして従来の技術を用いて、測定される細胞の体積との比較により行われる。
実験結果は市販のラテックス粒子の球形体積に対して測定した電圧のマッピングは線形関数であることを示した。従って、正確な変換係数を決定するために１つサイズの球形ラテックス粒子しか使用する必要がない。最初の検量工程において、Bangs Laboratories Inc.により製造されたラテックス粒子を含むサンプルであって、5.06μｍの直径を有し、即ち、67.834m3の体積を有するものを装置によりサンプリングした。ラテックス粒子のための三次元プロットを図７に示し、図８に平均電圧に対する重量オスモル濃度のプロットを示す。この特定の試験において、装置は691.97mVの平均電圧を生じた。球形体積は下記の等式により与えられる。
球形体積＝測定された電圧×Kvolt
（式中、Kvoltは電圧変換係数である）。
この等式を変形すると、
Kvolt＝球形体積／測定された電圧
となり、この場合、Kvolt＝67.834/691.97＝0.0980である。
このKvolt値は試験した特定の装置のみに有効であり、装置のメモリー内に保存される。
第二の検量工程において、平均の個体中の平均の血液細胞は両凹型形状を有するという事実を考慮するために形状補正係数が決定される。上記の電圧変換係数Kvoltを応用すると、ラテックス粒子のように、血液細胞は球形であり、そしてそれ故、球形以外の細胞形状については不正確な細胞体積を与えるということが仮定される。本発明において、可変形状補正関数は、分解を起こす臨界重量オスモル濃度までのいずれかの重量オスモル濃度で、血液細胞の平均体積が非常に正確に計算されうるように決定される。
これを例示するために、特定数の正確に知られていれる重量オスモル濃度、および、標準参照法のパックド細胞体積を用いて測定された血液細胞の体積で、サンプルを試験した。また、同一サンプルの一部分を図１の装置を用いて本発明の方法により試験し、対応する重量オスモル濃度での個々の細胞からの電圧パルスを測定した。これらの手順の結果を表１に示し、そして、それぞれ測定した電圧および真の体積に対する重量オスモル濃度（ｘ−軸）の２つの重ねたグラフとして図９にプロットした。
290mosmの等張の重量オスモル濃度において、パックド細胞体積技術により決定した真の体積は92.0flであり、測定した平均の電圧は670mVであった。
細胞の真の等張体積は下記式により与えられる。
体積iso＝電圧iso×Kvolt×Kshape
（式中、電圧isoは測定された電圧であり、そしてKshapeは形状補正係数である）。
変形すると、
Kshape＝体積iso/（電圧iso×Kvolt）
であり、この場合には、
Kshape＝92.0/（670×0.0980）＝1.4
である。
表１は他のアリコートの各々の形状補正係数Kshapeを示し、そして各サンプルに適用されるべき係数は異なり、最大の形状補正は等張の重量オスモル濃度で行われ、ここで、血液細胞は球形でなく両凹型形状であることを示す。注目のいずれかの重量オスモル濃度でのKshapeの計算を自動化するために、形状補正関数が必要である。次の一般関数は２つのセンサー読み値、即ち、測定される電圧をベースとする形状補正係数を記載する。
ｆ（Kshape）＝ｆ（SR1,SR2）
（式中、SR1は既知の形状、通常には球形でのセンサー読み値（測定電圧）であり、そしてSR2は注目の重量オスモル濃度、通常には等張でのセンサー読み値（測定電圧）である）。
分析は、これが線形関数であることを示す。
ｆ（Kshape）＝１＋〔（ST1−SR2）／（SR1）〕×Ka
（式中、Kaは装置による定数である）。Kaは次のように決定される。
290mosmの重量オスモル濃度でのKshapeは既知であり（上記参照）、SR1＝1432mV、SR2＝670mVおよびKshape＝1.4を上記式に入れると、
1.4＝１＋〔（1432−670）/1432）×Ka
であり、変形すると、
Ka＝0.7518である。
このKa値はこの装置において一定である。
血液サンプルの真の等張体積は、注目の等張体積の測定電圧を、ある既知または同定可能な形状で、同一の血液サンプルの細胞の測定電圧と比較することにより決定される。最も便利には、採用される細胞は球形であり、ここで、
体積iso＝電圧iso×Kvolt×ｆ（Kshape）
＝SR2×0.0980×〔１＋〔（SR1−SR2）/SR1〕×0.7518〕
である。
本発明において、血液細胞が予め決められた連続浸透圧勾配に付されるときに球形になる点は、非常に正確に決定できる。図10a〜10dは健康な個体からの正常血液サンプルについての結果を示す。図10aは重量オスモル濃度に対して測定される電圧の三次元プロットを示し、図10bはサンプルの一連の試験について測定される電圧の％変化に対する重量オスモル濃度のグラフを示し、図10cは表の形での結果を示し、図10dは重量オスモル濃度に対する、平均電圧および試験の細胞計数の重ね書きのグラフである。示すように、最初は、試験の開始時に5000細胞／秒である細胞計数は勾配発生機セクション２中のサンプルの希釈によって試験を通して減少する。平均電圧は臨界重量オスモル濃度で最大となるまで上昇し、ここで、血液細胞は球形になり、その後、減少する。標準的な統計技術を用いて、図10bの曲線の最大値および最大値での平均電圧は決定できる。この点での平均電圧は上記等式のためのSR1値を与える。その後、注目の重量オスモル濃度およびその測定電圧SR2を選択し、そしてその重量オスモル濃度での細胞の真の体積を計算することができる。通常、等張の重量オスモル濃度を選択し、約290mosmである。
上記試験において、290mosmにおいて、SR1＝1432mVおよびSR2＝670mVである。従って、
ｆ（Kshape）290＝１＋〔（1432−670）/1432〕x0.7518であり、
Kshape 290＝1.40
であり、それ故、
体積iso＝SR2×Kvolt×Kshape
＝670×0.0980×1.40
＝91.92flであり、
体積sph＝SR1×Kvolt×Kshape
＝1432×0.098×1.0
＝140.34fl
である。
球形細胞の平均体積の知識により、球の半径を次のように計算することができる。
体積sph＝４πr3/3
であり、球の半径は
ｒ＝〔３×体積sph/4π〕1/3
ｒ＝〔３×140.34/4π〕1/3
＝3.22μｍ
である。
体積iso、体積sphおよび球状細胞半径を決定すると、多くの他のパラメータを計算することができる。
1.  表面積（SA）
細胞膜は特に球形から等張の範囲で非弾性であり、表面積は全ての重量オスモル濃度で実質的に不変であるから、表面積SAはｒを下記式に代入することにより計算されうる。
SA＝４πr2
＝４π（3.22）２
＝130.29μm2
2.  体積に対する表面積の比（SAVR）
赤血球の壁はその表面積を変えることなく変形しうると仮定すると、いずれかの特定の形状の細胞または細胞群の表面積SAが判ると、他のいずれの形状の表面積も判り、この為、表面積の体積に対する比SAVRはいずれの体積についても計算されうる。SAVRは下記式により与えられる。
SAVR＝４πr2/体積iso＝SA/体積iso
＝130.29/91.99
＝1.42
3.  球形指数（SI）
本発明は広く引用されているが、これまで、稀にしか測定されていない細胞の形状の指標であるSAVRを容易に測定することができる。球形の細胞では、それは3/rの値であるが、同一の形状であるが、異なるサイズの細胞は異なるSAVR値を有しうるので、細胞サイズに無関係の無次元の球形指数を用いることが望ましく、それは下記式により示される。
SI＝SAVR×r/3
＝1.52
＝1.42×3.22/3
4.  細胞直径（Ｄ）
正常な細胞が等張の重量オスモル濃度で両凹型ディスクの形態であるときに、この両凹型ディスクの半径に対する球の半径の比は0.8155であることが判っている。これを基礎として、それ故、両凹型ディスクの形態の細胞の直径Ｄは下記式により与えられる。
Ｄ＝2r/0.8155
＝２×3.22/0.8155
＝8.19μｍ
同一のパラメータは全ての他の重量オスモル濃度について決定されうる。細胞直径の頻度分布は、分散統計および頻度分布プロットの両方として与えられる。本発明はプライス−ジョーンズ曲線として知られている等張の細胞直径の頻度分布のプロットの既知のマニュアル手順の自動バージョンを提供する。本発明は、いずれかの形状、特に、等張の細胞、球形の細胞およびゴースト細胞（いずれかの重量オスモル濃度で）についての細胞直径のプライス−ジョーンズ曲線を作ることができ、そして、通常、250,000個の細胞をベースとする。これを図10に示す。
5.  細胞厚さ（CT）
細胞が両凹型ディスクの形態であるときに、細胞厚さの適切な測定値は断面積および体積から誘導されうるものである。断面積は、勿論、球形の形態の細胞の半径から得ることができる。細胞の厚さは、それ故、次の通りに計算されうる。
CT＝体積iso/πr2
＝91.92/π3.222
＝2.82μｍ
6.  １ミリリットル当たりの表面積（SAml）
表面積（SA）と細胞計数（RBC）との積は生理的交換のために得られる１ミリリットル当たりの表面積（SAml）である。体液の酸−塩基調節を担う近位腎臓管の全表面積は5m2である。酸−塩基バランスの調節においても重要な役割を担う赤血球細胞の総表面積は4572m2であり、ほぼ３桁大きい。RBCは希釈された血液サンプルの流速、各サンプルの細胞計数および初期の全血液サンプルの希釈度の知識から内部的に計算される。通常、RBCは約4.29×109赤血球細胞/mlである。
SAml＝SA×RBC（ml当たり）
＝130.29μm2×4.29×109
＝0.56m2ml-1
7.  細胞透過性（Cp）
図12の重量オスモル濃度に対する細胞体積のプロットは、重量オスモル濃度が減少するにつれて細胞体積がどのように変化するかを示す特性曲線を示し、そして膜を横切る最大流速および最小流速および特定のまたは一連の浸透圧に帰因した流速を示す。多くの細胞の透過性測定は、主として、異なる圧力での細胞の体積の変化によるものである。表２は本発明の方法により得られた体積測定および各mosmでの体積の変化を示す。このような表は連続関数から自動的に計算され、そして通常、ユーザーは見ることがない。結果は、図13の浸透圧に対する正味の流体交換のグラフとしてプロットされて示される。
浸透圧（Posm）、細胞体積、表面積（SA）および他の関連環境ファクターの測定値を得ると、多くの細胞の透過性の測定値を得ることができる。
ａ）Cp速度
透過性のこの係数は、特定の圧力に応答して１平方メートルの膜を横切る流体の速度を測定する。全ての正の速度は細胞中への正味の流れを示し、全ての負の速度は細胞からの正味の流れを示す。速度は以下の通りに決定される。
Cp速度＝Δ細胞体積／ΔPosm/SA（S.T.P）
表２および図13からの個別の値を用いて、200〜141mosmの間のCp速度は以下のように与えられる。
Cp速度290.141＝（139.94−93.98）／（141−290）/130.29μm2
＝45.96fl/149mosm/130.29
＝2.36×10-3fl/mosm/μm2
＝2.36×109fl/mosm/m2
＝2.36ml/mosm/m2
ｂ）透過性定数pkn
透過性測定値のこのセットは正味の透過速度が０である各圧力を記載するものであり、pk0、pk1、…pknと番号付けされる。
（ｉ）pk0は細胞が一体性を失うことなく受けることができる最小の絶対圧（低張圧）と一致し、図12に示している。pk0での１ミリオスモル/kgの1/10（0.0001気圧）での圧力変化は１〜２桁の大きさの透過性の変化を生じ、pk0は明らかであり、非常に再現性のある測定値である。
（ii）pk1は若干低張圧で体積的に調節することができる細胞の能力の測定値であり、これも図12に示す。特定の圧力に後に、細胞は浸透圧力に抗することができず、細胞の体積の変化をもたらす。pk1はこの調節を行うことができる細胞の能力の測定値を提供し、それにより、細胞の最大ポンプ輸送能を測定する。
（iii）pk2はpk1から得られるものであり、高張圧において体積調節することができる細胞の能力の測定値であり、インビボの静圧における通常の細胞（示していない）と比較して、低い差圧で起こる。
透過性定数pknは下記式により記載される。
pkn＝ΔPosm/SA（S.T.P）
pk0を計算するときに、ΔPosm＝（等張圧）−（正味の流量が０である圧力）である。
pk1を計算するときに、ΔPosm＝（等張圧）−（正味の正の流速が始まる最初の低張圧）である。pk2の計算（示していない）はpk1と同一であるが、但し、ΔPosmは正味の正の流量が０でない最初の低張圧である。
表２および図13の別個の値を用いて、
pk0＝141.5mosmkg-1/130−29μm2
＝1.086
ｃ）CPΔ
この無次元の値はいずれかの２つのCp速度の比較であり、そして２つの圧力の間で細胞膜を横切る流体の正味の量として記載される。それは体積に独立であり、そして圧力に関係する透過速度の比較を提供する。この測定値は数分から数カ月にわたる同一の個体における透過性の変化を比較するために用いることができる。
上記のCp速度から、Cp速度290.141を2.41ml/mosm/m2と決定した。
CpΔ＝（Cp速度１−Cp速度2/Cp速度２）×100
CpΔ（2.41−2.36）/2.36×100
＝2.07％変化
ｄ）Cpmax
これは細胞膜を横切る流れの最大流速である。殆どの場合、２つの最大値があり、１つは正（細胞中へ流れる正味の流れ）および１つは負（細胞から出てくる正味の流れ）であり、pk0の両側にある。Cpmaxは重量オスモル濃度に対する細胞体積の変化の連続曲線の正および負の最大の傾きを検知することにより決定される。結果から細胞中に入るCpmaxは＋0.670fl/mosmであり、そして細胞から出るCpmaxは−0.722fl/mosmである。
ｅ）膜構造抵抗（MSR）
これは水の中に向かう流れまたは外に向かう流れに抗する細胞内の構造力の測定値である。それは、Cpmaxの、全ての他の０でない細胞内への流速に対する比により決定される。膜は全ての圧力において理論的に等しく透過性であるので、pk1〜pk2の圧力範囲外の最大の流速からの変化は機械力によるものである。Cprateが０に近づくときに、MSRは∞に近づき、その為、膜が耐えられる異常の歪みを生じるから、pk0は細胞膜の全体の機械限界であることが明らかである。
MSR＝Cpmax/Cprate×100％
ｆ）Cpml
これは全組織もしくは全体の体、または組織もしくは血液の単位体積当たりの個体に与えられる生理学的透過性の測定値であり、以下の通りに計算される。
CPml＝Δ細胞体積／ΔPosm/m3/全血液ml
上記の計算から、1ml中、130.29μm2の表面積およびSAml＝0.56m2ml-1で4.29×109個の赤血球細胞がある。
例えば、Cpmaxにおいて、細胞中に入る流速は0.677fl/130.29μm2
＝5.20×10-3fl/μm2
であった。
このように、1mlの全血液では、膜を横切る流体の正味の体積は＝5.20×10-3fl/μm2×0.559×1012μm2/ml＝2.91ml/全血液ml
ｈ）Cpnet
Cpnetは単位時間にわたって標準温度および圧力で単位面積の膜を流体が横切ることができる速度として規定され、そして透過性係数の圧力に無関係の測定値であり、下記等式により与えられる。
CPnet＝（体積sph−体積iso）/SA
＝（140.34−91.92）/130.29
＝0.372
＝3.72mlm-2
である。
図14はHbCCの病気の患者からのサンプルの三次元頻度分布を示す。示すように、プロットは非常に異常である。
0003650128.tif 000002
0003650128.tif 000003
0003650128.tif 000004
0003650128.tif 000005
【図１】
0003650128.tif 000006
【図２】
0003650128.tif 000007
【図３】
0003650128.tif 000008
【図４】
0003650128.tif 000009
【図５】
0003650128.tif 000010
【図６】
0003650128.tif 000011
【図７】
0003650128.tif 000012
【図１２】
0003650128.tif 000013
【図８】
0003650128.tif 000014
【図９】
0003650128.tif 000015
【図１０ａ】
0003650128.tif 000016
【図１０ｂ】
0003650128.tif 000017
【図１０ｃ】
0003650128.tif 000018
【図１０ｄ】
0003650128.tif 000019
【図１１】
0003650128.tif 000020
【図１３】
0003650128.tif 000021
【図１４】
0003650128.tif 000022